(57)【要約】【課題】被貼着面に両面テープの粘着層を貼る作業を行う際に巻回両面テープから引き出された両面テープの離形紙を回収し、作業時間の短縮、作業者に生じる負担を軽減する。【解決手段】粘着層４ａと離形紙４ｂを有する両面テープ４が巻芯２に巻回された巻回両面テープ１と共に用いられ、被貼着面Ｆに粘着層４ａを貼る作業を行う際に用いられる両面テープ貼着用治具１０であって、巻回両面テープ４を回転自在に保持する保持部２０と、保持部２０から離間して設けられ、巻回両面テープ４から引き出された両面テープ４の離形紙４ｂを回収する離形紙回収部３０と、保持部２０を移動操作するための持ち手部４０と、を備える。【選択図】図３Ａ
2019177996.tif 000002
【特許請求の範囲】
【請求項１】
粘着層と離形紙を有する両面テープが巻芯に巻回された巻回両面テープと共に用いられ、被貼着面に前記粘着層を貼る作業を行う際に用いられる両面テープ貼着用治具であって、
前記巻回両面テープを回転自在に保持する保持部と、
該保持部から離間して設けられ、前記巻回両面テープから引き出された前記両面テープの前記離形紙を回収する離形紙回収部と、
前記保持部及び前記離形紙回収部を移動操作するための持ち手部と、を備えることを特徴とする両面テープ貼着用治具。
【請求項２】
前記保持部は、前記巻回両面テープの前記巻芯に挿入される軸部材と、
該軸部材に対して着脱可能に取り付けられ、前記巻芯が前記軸部材から離脱することを防止するキャップ部材と、を備えることを特徴とする請求項１に記載の両面テープ貼着用治具。
【請求項３】
前記持ち手部は、前記保持部及び前記離形紙回収部に対して着脱可能に構成されていることを特徴とする請求項１又は２に記載の両面テープ貼着用治具。
【請求項４】
前記離形紙回収部は、回転軸を備えるローラー部材であり、
該ローラー部材は、前記巻回両面テープから引き出された前記両面テープの前記離形紙を巻きつけて回収することを特徴とする請求項１乃至３の何れか一項に記載の両面テープ貼着用治具。
【請求項５】
前記ローラー部材は、前記巻回両面テープから引き出された前記両面テープを前記被貼着面に押し付けるように構成されていることを特徴とする請求項４に記載の両面テープ貼着用治具。
【請求項６】
前記保持部又は前記離形紙回収部に取り付けられ、所定の間隔で前記被貼着面に複数列の前記粘着層を貼り付ける作業をガイドするためのガイド部材を備え、
該ガイド部材は、前記保持部の前記軸部材に対して平行に延出していることを特徴とする請求項２に記載の両面テープ貼着用治具。
【請求項７】
前記保持部は、第１巻回両面テープを回転自在に保持する第１保持部と、
前記第１巻回両面テープとは別の第２巻回両面テープを回転自在に保持する第２保持部と、を備え、
前記離形紙回収部は、前記第１巻回両面テープから引き出された前記両面テープの前記離形紙を巻きつけて回収する第１ローラー部材と、
前記第２巻回両面テープから引き出された前記両面テープの前記離形紙を巻きつけて回収する第２ローラー部材と、を備えることを特徴とする請求項１乃至６の何れか一項に記載の両面テープ貼着用治具。
【発明の詳細な説明】
【技術分野】
【０００１】
本発明は、床面等に両面テープを貼り付けるための両面テープ貼着用治具に係り、特に、巻回両面テープから引き出された両面テープの離形紙を回収することが可能な両面テープ貼着用治具に関する。
【背景技術】
【０００２】
住宅等の建設現場において、床面に敷き並べた複数の養生シート間に養生テープを貼り付ける作業や、敷き並べた複数の仮設床材間に養生テープを貼り付けて仮固定する作業等を行うことがある。そのような養生テープを床面に貼り付ける作業を行う際の負担を軽減するために養生テープ貼り工具が提案されている。
【０００３】
例えば、特許文献１には、長手形状の把持部と、フレームと、フレームの中間部に架設され巻回養生テープを外挿する回転体と、フレームの先端部に回転自在に固定され、養生テープを床面に貼り付ける押さえローラーと、押さえローラーに養生テープの引出し部分を案内する案内片と、を備える養生テープ貼り工具が記載されている。
【先行技術文献】
【特許文献】
【０００４】
【特許文献１】特開２０１０−１４３６７１号公報
【発明の概要】
【発明が解決しようとする課題】
【０００５】
防音フローリングの施工に際し、墨出しによって床面に基準線を引き、基準線からフロアを貼る方向と平行に所定の間隔で墨出しを行い、墨出し線に沿って所定の間隔で床面に複数列の両面テープを貼り付ける作業を行うことがある。
【０００６】
ここで、図５に示すように、巻回両面テープ１は、巻芯２と、巻芯２に巻回された両面テープ４とから構成されている。両面テープ４は、巻芯２の中心に近い側に粘着層４ａを有し、粘着層４ａの上（つまり、巻芯２の中心から遠い側）に、離形紙４ｂを有している。床面に両面テープ４を貼りつける作業では、床面に両面テープ４の粘着層４ａを貼り付けた後に、離形紙４ｂを剥がして粘着層４ａを露出させ、粘着層４ａをフロアに押し付けて床面に固定する作業を行う。
【０００７】
従来の養生テープ貼り工具を用いた場合にも、床面に両面テープ４を貼り付けることは可能であるが、床面に両面テープ４を貼り付けた後に、離形紙４ｂを手作業で剥がす必要があった。離形紙４ｂを剥がす作業を適切に行わないと、離形紙４ｂが破れてしまい、作業に時間がかかってしまう。したがって、手作業で離形紙４ｂを剥がす際には、貼り付けた複数列の両面テープ４から、１列ずつ離形紙４ｂを丁寧に剥がす必要がある。離形紙４ｂを剥がす作業は、腰をかがめて行う必要があるため、作業者に負担が生じるとともに、時間がかかってしまうという課題があった。
【０００８】
本発明は、上記の課題に鑑みてなされたものであって、その目的は、被貼着面に両面テープの粘着層を貼る作業を行う際に巻回両面テープから引き出された両面テープの離形紙を回収し、作業時間の短縮、作業者に生じる負担を軽減することが可能である両面テープ貼着用治具を提供することにある。
【課題を解決するための手段】
【０００９】
前記課題は、本発明の両面テープ貼着用治具によれば、粘着層と離形紙を有する両面テープが巻芯に巻回された巻回両面テープと共に用いられ、被貼着面に前記粘着層を貼る作業を行う際に用いられる両面テープ貼着用治具であって、前記巻回両面テープを回転自在に保持する保持部と、該保持部から離間して設けられ、前記巻回両面テープから引き出された前記両面テープの前記離形紙を回収する離形紙回収部と、前記保持部及び前記離形紙回収部を移動操作するための持ち手部と、を備えることにより解決される。
【００１０】
上記のように構成された本発明の両面テープ貼着用治具によれば、巻回両面テープから引き出された両面テープの粘着層を被貼着面に貼り付けながら、巻回両面テープから引き出された両面テープの離形紙を回収できるため、被貼着面に粘着層を貼る作業の作業時間の短縮、作業者に生じる負担を軽減することが可能となる。
【００１１】
また、上記の構成において、前記保持部は、前記巻回両面テープの前記巻芯に挿入される軸部材と、該軸部材に対して着脱可能に取り付けられ、前記巻芯が前記軸部材から離脱することを防止するキャップ部材と、を備えるとよい。
上記の構成では、保持部に保持された巻回両面テープが軸部材から離脱してしまうことを防止できる。
【００１２】
また、上記の構成において、前記持ち手部は、前記保持部及び前記離形紙回収部に対して着脱可能に構成されているとよい。
上記の構成では、巻回両面テープを交換する際の作業が容易になると共に、両面テープ貼着用治具を用いる態様に応じて作業者に負担のない姿勢を採らせることが可能になる。
【００１３】
また、上記の構成において、前記離形紙回収部は、回転軸を備えるローラー部材であり、該ローラー部材は、前記巻回両面テープから引き出された前記両面テープの前記離形紙を巻きつけて回収するとよい。
上記の構成では、ローラー部材である離形紙回収部によって、両面テープの前記離形紙を巻きつけて回収するため、離形紙を適切かつ処理し易い形態で回収することが可能となる。
【００１４】
また、上記の構成において、前記ローラー部材は、前記巻回両面テープから引き出された前記両面テープを前記被貼着面に押し付けるように構成されているとよい。
上記の構成では、巻回両面テープから引き出した両面テープをローラー部材である離形紙回収部によって被貼着面に押し付けるので、粘着層が被貼着面に対して強固に貼り付けられる。
【００１５】
また、上記の構成において、前記保持部又は前記離形紙回収部に取り付けられ、所定の間隔で前記被貼着面に複数列の前記粘着層を貼り付ける作業をガイドするためのガイド部材を備え、該ガイド部材は、前記保持部の前記軸部材に対して平行に延出しているとよい。
所定の間隔で被貼着面（床面）に複数列の両面テープを貼り付ける作業を行う場合には、１列ずつ繰り返して作業を行う必要があるため、時間がかかってしまうことや、所定の間隔を正確に保つことが難しく、作業者に負担が生じるという課題があった。
上記の構成では、所定の間隔で被貼着面に複数列の両面テープを貼り付ける作業を行う場合であっても、所定の間隔を正確に保つことが可能となる。
【００１６】
また、上記の構成において、前記保持部は、第１巻回両面テープを回転自在に保持する第１保持部と、前記第１巻回両面テープとは別の第２巻回両面テープを回転自在に保持する第２保持部と、を備え、前記離形紙回収部は、前記第１巻回両面テープから引き出された前記両面テープの前記離形紙を巻きつけて回収する第１ローラー部材と、前記第２巻回両面テープから引き出された前記両面テープの前記離形紙を巻きつけて回収する第２ローラー部材と、を備えるとよい。
上記の構成では、所定の間隔で被貼着面に複数列の両面テープを貼り付ける作業を行う場合であっても、両面テープを２列同時に貼り付けることができるため、作業時間を短縮できると共に、作業者の負担を軽減することが可能となる。
また、上記の構成では、２つの巻回両面テープを用いて両面テープを２列同時に貼り付けた際に、両方の巻回両面テープから離形紙をそれぞれ適切に回収することが可能となる。
【発明の効果】
【００１７】
本発明に係る両面テープ貼着用治具によれば、巻回両面テープから引き出された両面テープの離形紙を回収し、作業時間の短縮、作業者に生じる負担を軽減することが可能となる。
また、本発明に係る両面テープ貼着用治具によれば、所定の間隔で床面に複数列の両面テープを貼り付ける作業を、短時間かつ正確に行うことが可能となる。
【図面の簡単な説明】
【００１８】
【図１】本発明の一実施形態に係る両面テープ貼着用治具の外観図である。
【図２】本発明の一実施形態に係る両面テープ貼着用治具の側面図である。
【図３Ａ】本発明の一実施形態に係る両面テープ貼着用治具を用いて両面テープを床に貼り付ける際の様子を示す図である。
【図３Ｂ】本発明の一実施形態に係る両面テープ貼着用治具を用いて両面テープを床に貼り付ける際に、隣接する両面テープの間隔を維持するガイド部材の作用を説明する模式図である。
【図４】本発明の一実施形態に係る両面テープ貼着用治具を用いて両面テープを床に貼り付ける際に、巻回両面テープから引き出された両面テープの離形紙を回収する様子を説明する模式図である。
【図５】巻回両面テープを示す模式図である。
【発明を実施するための形態】
【００１９】
以下、本発明の一実施形態（以下、本実施形態）に係る両面テープ貼着用治具の構成について図１乃至４を参照しながら説明する。図１は、本実施形態に係る両面テープ貼着用治具の外観図である。なお、図１には、矢印にて両面テープ貼着用治具の前後方向、幅方向を図示している。図２は、本実施形態に係る両面テープ貼着用治具の側面図である。なお、図２には、矢印にて調整部材の前後方向を図示している。図３Ａは、両面テープ貼着用治具を用いて両面テープを床に貼り付ける際の様子を示す図であり、図３Ｂは、両面テープ貼着用治具を用いて両面テープを床に貼り付ける際に、隣接する両面テープの間隔を維持するガイド部材の作用を説明する模式図である。図４は、両面テープ貼着用治具を用いて両面テープを床に貼り付ける際に、巻回両面テープから引き出された両面テープの離形紙を回収する様子を説明する模式図である。なお、図４には、矢印にて調整部材の前後方向、巻回両面テープの回転方向、ローラー部材の回転方向を図示している。
【００２０】
本明細書における方向を示す用語に関し、図１乃至４のように各方向を定義する。具体的には、以下の説明中、「前後方向」とは、作業者から見たときの前後方向を意味する。「幅方向」とは、作業者から見たときの左右方向と一致する。また、「上下方向」とは、作業者から見たときの上下方向と一致する。また、「作業進行方向」とは、作業者が床面に両面テープの粘着層を貼り付ける作業を行う方向を意味する。
【００２１】
＜両面テープ貼着用治具１０＞
先ず、本実施形態に係る両面テープ貼着用治具１０（以下、単に両面テープ貼着用治具１０）の用途について説明する。
両面テープ貼着用治具１０は、住宅等の建物の建設工事において、図５に示すような粘着層４ａと離形紙４ｂを有する両面テープ４が巻芯２に巻回された巻回両面テープ１と共に用いられ、床面（被貼着面）に両面テープ４の粘着層４ａを貼り付ける作業を行う際に用いられる。より詳細には、防音フローリングの施工に際し、所定の間隔で床面に複数列の両面テープ４の粘着層４ａを貼り付ける作業を行う際に用いられる。
【００２２】
なお、両面テープ貼着用治具１０の用途については上記の内容に限定されるものではない。両面テープ４の粘着層４ａを所定の対象に貼り付ける作業を行う場合であれば、両面テープ貼着用治具１０が利用可能である。
【００２３】
次に、両面テープ貼着用治具１０の構成について説明する。両面テープ貼着用治具１０は、樹脂などの材料で形成されており、図１に示すように、巻回両面テープを回転自在に保持する保持部２０と、該保持部２０から離間して設けられ、巻回両面テープから引き出された両面テープの離形紙４ｂを回収する離形紙回収部３０と、保持部２０及び離形紙回収部３０を移動操作するための持ち手部４０と、を主構成要素として備えている。保持部２０、離形紙回収部３０、持ち手部４０は、接続部２６において互いに接続されている。
【００２４】
（保持部２０）
保持部２０は、巻回両面テープを回転自在に保持する。具体的には、保持部２０は、図１及び図２に示すように、第１巻回両面テープを回転自在に保持する第１保持部２２と、第１巻回両面テープとは別の第２巻回両面テープを回転自在に保持する第２保持部２４を有している。
【００２５】
第１保持部２２は、巻回両面テープ１の巻芯２に挿入される第１軸部材２２ａと、第１軸部材２２ａに対して着脱可能に取り付けられた第１キャップ部材２２ｂとを備えている。また、第２保持部２４は、巻回両面テープ１の巻芯２に挿入される第２軸部材２４ａと、第２軸部材２４ａに対して着脱可能に取り付けられた第２キャップ部材２４ｂと、を備えている。
【００２６】
第１保持部２２と第２保持部２４は、不図示の回転軸を中心として、中央部２８に対して回動可能に接続されている。具体的には、第１保持部２２の第１軸部材２２ａ及び第１キャップ部材２２ｂが中央部２８の第１端部２８ａに対して回動可能に接続され、第２保持部２４の第２軸部材２４ａ及び第２キャップ部材２４ｂが中央部２８の第２端部２８ｂに対して回動可能に接続されている。
【００２７】
第１キャップ部材２２ｂ及び第２キャップ部材２４ｂの直径を、巻回両面テープ１の巻芯２の直径よりも大きくなるように設定することで、巻芯２が第１軸部材２２ａや第２軸部材２４ａからの離脱してしまうことが防止されるようになっている。
【００２８】
ここで、両面テープ貼着用治具１０幅方向における第１キャップ部材２２ｂと中央部２８の第１端部２８ａの間の距離（換言すると、第１軸部材２２ａにおける巻芯２に挿入される領域の幅）を、巻芯２の幅と略同一又は若干小さく（数ｍｍ程度小さく）なるように設定すると、第１保持部２２において巻芯２が両面テープ貼着用治具１０の幅方向において適切に保持されるため、巻芯２の回転が安定したものとなり好適である。
【００２９】
同様に、両面テープ貼着用治具１０幅方向における第２キャップ部材２４ｂと中央部２８の第２端部２８ｂの間の距離（換言すると、第２軸部材２４ａにおける巻芯２に挿入される領域の幅）を、巻芯２の幅と略同一又は若干小さく（数ｍｍ程度小さく）なるように設定すると、第２保持部２４において巻芯２が両面テープ貼着用治具１０の幅方向において適切に保持されるため、巻芯２の回転が安定したものとなり好適である。
【００３０】
さらに、第１軸部材２２ａ及び第２軸部材２４ａの直径を、巻芯２の内径と略同一又は若干小さく（数ｍｍ程度小さく）なるように設定すると、第１軸部材２２ａ及び第２軸部材２４ａが挿入された巻芯２の回転が安定したものとなると共に、第１軸部材２２ａ及び第２軸部材２４ａが下方に押し付けられる力が巻回両面テープ１に適切に伝達されるため好適である。
【００３１】
また、作業者から見て、両面テープ貼着用治具１０の前後方向において、第１ローラー部材３２の幅方向外側の端部が第１キャップ部材２２ｂの幅方向内側の端部と一致するように構成されている。同様に、作業者から見て、両面テープ貼着用治具１０の前後方向において、第２ローラー部材３４の幅方向外側の端部が第２キャップ部材２４ｂの幅方向内側の端部と一致するように構成されている。
【００３２】
このように構成されていると、作業者から見て、第１キャップ部材２２ｂの幅方向内側の端部、つまり、第１保持部２２に保持された巻回両面テープ１の幅方向外側の端部が、第１ローラー部材３２の幅方向外側の端部と幅方向において一致するように持ち手部４０を操作することで、両面テープ４の粘着層４ａを床面Ｆに対して曲がることなく一直線に貼着することが可能となる。同様に、作業者から見て、第２キャップ部材２４ｂの幅方向内側の端部、つまり、第２保持部２４に保持された巻回両面テープ１の幅方向外側の端部が、第２ローラー部材３４の幅方向外側の端部と幅方向において一致するように持ち手部４０を操作することで、両面テープ４の粘着層４ａを床面Ｆに対して曲がることなく一直線に貼着することが可能となる。
【００３３】
（離形紙回収部３０）
離形紙回収部３０は、保持部２０から後方に離間して設けられており、巻回両面テープ１から引き出された両面テープ４の離形紙４ｂを回収する。離形紙回収部３０は、図１及び図２に示すように、第１回転軸３２ａを中心に回動可能な第１ローラー部材３２と、第２回転軸３４ａを中心に回動可能な第２ローラー部材３４を有している。
【００３４】
第１ローラー部材３２は、第１保持部２２に保持された巻回両面テープ１から引き出された両面テープ４の離形紙４ｂを巻きつけて回収すると共に、巻回両面テープ１から引き出された両面テープ４を被貼着面に押し付けるように構成されている。また、同様に、第２ローラー部材３４は、第２保持部２４に保持された巻回両面テープ１から引き出された両面テープ４の離形紙４ｂを巻きつけて回収すると共に、巻回両面テープ１から引き出された両面テープ４を被貼着面に押し付けるように構成されている。
【００３５】
離形紙回収部３０が第１ローラー部材３２や第２ローラー部材３４のようなローラー部材であることにより、両面テープ４の離形紙４ｂを巻きつけて回収することができるため、離形紙４ｂを適切かつ処理し易い形態で回収することが可能となっている。また、巻回両面テープ１から引き出した両面テープ４を第１ローラー部材３２や第２ローラー部材３４によって被貼着面に押し付けることが可能であるため、粘着層４ａが被貼着面に対して強固に貼り付けられる。
【００３６】
ここで、離形紙回収部３０が、両面テープ４の粘着層４ａを貼る作業を行う方向（換言すると、作業の進行方向）において、保持部２０よりも後方に設けられているため、離形紙回収部３０に離形紙４ｂが回収された場合であっても、作業者が作業の進行方向を視認し易いという利点がある。
【００３７】
また、離形紙回収部３０において、第１保持部２２に保持された巻回両面テープ１から引き出された両面テープ４の離形紙４ｂを巻きつけて回収する第１ローラー部材３２と、第２保持部２４に保持された巻回両面テープ１から引き出された両面テープ４の離形紙４ｂを巻きつけて回収する第２ローラー部材３４が別々に設けられているため、両面テープ貼着用治具１０に２つの巻回両面テープ１を取り付けて両面テープを２列同時に貼り付けた場合であっても、両方の巻回両面テープ１から離形紙４ｂをそれぞれ個別に回収することが可能となる。したがって、両方の巻回両面テープ１から回収した離形紙４ｂが絡まってしまうことが防止される。
【００３８】
（持ち手部４０）
持ち手部４０は、図１及び図２に示すように、保持部２０及び離形紙回収部３０を移動操作するための長尺部材である。持ち手部４０は、保持部２０及び離形紙回収部３０に対して着脱可能に構成されている。具体的には、持ち手部４０は、保持部２０及び離形紙回収部３０を接続する接続部２６に対して着脱可能に構成されている。
【００３９】
持ち手部４０が保持部２０及び離形紙回収部３０に対して着脱可能に構成されているため、持ち手部４０を取り外すことで、使用済みの巻回両面テープ１を交換する際の作業が容易になると共に、両面テープ貼着用治具１０を用いる態様に応じて作業者に負担のない姿勢を採らせることが可能になる。また、長さの異なる持ち手部４０を複数用意することで、作業者の身長などに応じて、適切な長さの持ち手部４０に交換することが可能となり好適である。
【００４０】
（ガイド部材５０）
ガイド部材５０は、図１に示すように、離形紙回収部３０の第１ローラー部材３２の基端部に取り付けられており、保持部２０の第１軸部材２２ａや第２軸部材２４ａに対して平行に延出している（つまり、ガイド部材５０の延出方向は、第１軸部材２２ａや第２軸部材２４ａの延出方向に対して平行となる）。後述するように、ガイド部材５０は、所定の間隔で被貼着面に複数列の粘着層４ａを貼り付ける作業をガイドする。
【００４１】
ガイド部材５０は、両面テープ貼着用治具１０の幅方向において、内側に第１ガイド部５２を備え、第１ガイド部５２の外側に第２ガイド部５４を備えている。第１ガイド部５２の幅方向における長さは、第１キャップ部材２２ｂ（又は第２キャップ部材２４ｂ）の幅と一致するように定められている。また、ガイド部材５０の幅方向における長さは、所定の間隔で被貼着面に複数列の粘着層４ａを貼り付ける作業を行う際の、予め定められた所定の間隔と一致するように定められている。
【００４２】
＜両面テープ貼着用治具１０を用いた床面Ｆへの粘着層の貼着作業＞
次に、両面テープ貼着用治具１０を用いた床面Ｆへの粘着層４ａの貼着作業について、図３Ａ、図３Ｂ、図４を参照して説明する。
【００４３】
まず、図３Ａに示すように、巻回両面テープ１を両面テープ貼着用治具１０の第１保持部２２と第２保持部２４にそれぞれ取り付ける。具体的には、第１保持部２２の第１キャップ部材２２ｂを取り外し、第１軸部材２２ａに巻回両面テープ１の巻芯２を挿入した後に、第１キャップ部材２２ｂを再度第１軸部材２２ａの端部に取り付けることで、第１保持部２２に巻回両面テープ１が取り付けられる。同様に、第２保持部２４の第２キャップ部材２４ｂを取り外し、第２キャップ部材２４ｂに巻回両面テープ１の巻芯２を挿入した後に、第２キャップ部材２４ｂを再度第２軸部材２４ａの端部に取り付けることで、第２保持部２４に巻回両面テープ１が取り付けられる。
【００４４】
次に、作業者が持ち手部４０を把持し、作業の開始地点へと移動をする。作業者は、ガイド部材５０の幅方向における外側の端部を、目視で、不図示の壁面（既設の構造部材）に沿わせるか、墨出しによって床面Ｆに形成された基準線（不図示）に沿わせる。
【００４５】
作業者は、第１保持部２２及び第２保持部２４に保持されたそれぞれの巻回両面テープ１の端部から両面テープ４を少し引き出し、粘着層４ａを床面Ｆに貼着して、離形紙４ｂを剥離する。剥離した離形紙４ｂは、離形紙回収部３０の第１ローラー部材３２や第２ローラー部材３４に通常のテープなどを用いて取り付けられる。このようにして、作業の準備が行われる。
【００４６】
次に、作業者が持ち手部４０を操作して、保持部２０及び離形紙回収部３０を、両面テープ４の粘着層４ａを貼る方向（作業進行方向）に移動させる。作業の進行に伴い、図４に示すように、巻回両面テープ１及び第１軸部材２２ａ（第２軸部材２４ａ）が回転方向Ｒで示す方向に回転し、巻回両面テープ１から両面テープ４が引き出される。引き出された両面テープ４が第１ローラー部材３２や第２ローラー部材３４によって床面Ｆに対して押圧され、粘着層４ａが床面Ｆに貼着される。このとき、離形紙回収部３０の第１ローラー部材３２や第２ローラー部材３４が、回転方向ｒで示す方向に回転し、第１ローラー部材３２や第２ローラー部材３４に巻きつけられるようにして、離形紙４ｂが粘着層４ａから剥離・回収される。
【００４７】
このとき、作業者は、離形紙回収部３０の第１ローラー部材３２の幅方向外側の端部が、第１保持部２２に保持された巻回両面テープ１の幅方向外側の端部と幅方向において一致するように、かつ、ガイド部材５０の第１ガイド部５２の幅方向外側の端部が第１キャップ部材２２ｂの幅方向外側の端部と幅方向において一致するように、持ち手部４０を操作することで、両面テープ４の粘着層４ａを床面Ｆに対して曲がることなく一直線に貼着することが可能となる。
【００４８】
また、図３Ａに示す状態において、保持部２０の第１保持部２２及び第２保持部２４に保持された２つの巻回両面テープ１の間の距離は、所定間隔Ｐとなるように設定されているため（換言すると、中央部２８における第１端部２８ａの外側の端部と、第２端部２８ｂの外側の端部との間の距離が所定間隔Ｐとなるように設定されているため）、両面テープ４の粘着層４ａが、所定間隔Ｐで２列並んだ状態で貼着される。
【００４９】
次に、最初に貼着された２列の粘着層４ａに隣接して、更に２列の粘着層４ａを貼着する作業を行う場合について、図３Ｂを参照して説明する。
まず、作業者は、図３Ｂに示すように、ガイド部材５０の第２ガイド部５４の幅方向外側の端部、すなわち、ガイド部材５０の幅方向外側の端部が、既設の粘着層４ａの端部に沿うように目視で、巻回両面テープ１の位置合わせを行う。
【００５０】
そして、上述の手順と同様に、巻回両面テープ１の端部から両面テープ４を少し引き出し、粘着層４ａを床面Ｆに貼着して、離形紙４ｂを剥離して、離形紙回収部３０の第１ローラー部材３２や第２ローラー部材３４に通常のテープなどを用いて取り付けて作業の準備を行う。
【００５１】
次に、作業者は、持ち手部４０を操作して、保持部２０及び離形紙回収部３０を、両面テープを貼る方向（作業進行方向）に移動させる。このとき、作業者は、離形紙回収部３０の第１ローラー部材３２の幅方向外側の端部が、第１保持部２２に保持された巻回両面テープ１の幅方向外側の端部と幅方向において一致するように、かつ、ガイド部材５０の第１ガイド部５２の幅方向外側の端部が第１キャップ部材２２ｂの幅方向外側の端部と幅方向において一致するように、持ち手部４０を操作することで、両面テープ４の粘着層４ａを床面Ｆに対して曲がることなく一直線に貼着することが可能となる。
【００５２】
さらに、作業者は、図３Ｂに示すように、ガイド部材５０の幅方向外側の端部が、既設の粘着層４ａの端部に沿うように、持ち手部４０を操作することで、既設の２列の粘着層４ａに対して、所定間隔Ｐを維持した状態で、３列目と４列目の粘着層４ａを、床面Ｆに対して貼着することができる。
【００５３】
以上の手順を繰り返して行うことで、所定間隔Ｐで床面Ｆに複数列の両面テープ４の粘着層４ａを貼り付ける作業が行われる。両面テープ貼着用治具１０を用いて作業を行った場合、２列同時に粘着層４ａを平行に貼着でき、かつ、所定間隔Ｐを維持して平行に粘着層４ａを貼着でき、さらに、離形紙４ｂを別途剥がす作業を行う必要がない。したがって、手作業の場合と比較して、短時間かつ高精度に作業を行うことができ、作業者の負担が大幅に軽減される。
【００５４】
＜両面テープ貼着用治具１０の作用＞
以上説明した両面テープ貼着用治具１０によれば、巻回両面テープ１から引き出された両面テープ４の粘着層４ａを被貼着面（床面Ｆ）に貼り付けながら、巻回両面テープ１から引き出された両面テープ４の離形紙４ｂを回収できるため、被貼着面（床面Ｆ）に粘着層４ａを貼る作業の作業時間の短縮、作業者に生じる負担を軽減することが可能となる。
【００５５】
両面テープ貼着用治具１０によれば、保持部２０が、巻回両面テープ１の巻芯２に挿入される軸部材（第１軸部材２２ａ、第２軸部材２４ａ）と、軸部材に対して着脱可能に取り付けられ、巻芯２が軸部材から離脱することを防止するキャップ部材（第１キャップ部材２２ｂ、第２キャップ部材２４ｂ）と、を備えているため、保持部２０に保持された巻回両面テープ１が軸部材から離脱してしまうことを防止できる。
【００５６】
両面テープ貼着用治具１０によれば、持ち手部４０が保持部２０及び離形紙回収部３０に対して着脱可能に構成されているため、巻回両面テープ１を交換する際の作業が容易になると共に、両面テープ貼着用治具１０を用いる態様に応じて作業者に負担のない姿勢を採らせることが可能になる。
【００５７】
両面テープ貼着用治具１０によれば、離形紙回収部３０は、回転軸（第１回転軸３２ａ，第２回転軸３４ａ）を備えるローラー部材（第１ローラー部材３２、第２ローラー部材３４）であり、ローラー部材は、巻回両面テープ１から引き出された両面テープ４の離形紙４ｂを巻きつけて回収するため、離形紙を適切かつ処理し易い形態で回収することが可能となる。
【００５８】
両面テープ貼着用治具１０によれば、ローラー部材（第１ローラー部材３２、第２ローラー部材３４）が、巻回両面テープ１から引き出された両面テープ４を被貼着面（床面Ｆ）に押し付けるように構成されているため、粘着層４ａが被貼着面（床面Ｆ）に対して強固に貼り付けられる。
【００５９】
所定の間隔で被貼着面（床面）に複数列の両面テープを貼り付ける作業を行う場合には、１列ずつ繰り返して作業を行う必要があるため、時間がかかってしまうことや、所定の間隔を正確に保つことが難しく、作業者に負担が生じるという課題があった。
両面テープ貼着用治具１０によれば、保持部２０又は離形紙回収部３０に取り付けられ、所定の間隔で被貼着面（床面Ｆ）に複数列の粘着層４ａを貼り付ける作業をガイドするためのガイド部材５０を備え、ガイド部材５０は、保持部２０の第１軸部材２２ａや第２軸部材２４ａに対して平行に延出しているため、所定の間隔で被貼着面（床面Ｆ）に複数列の両面テープ４を貼り付ける作業を行う場合であっても、所定の間隔を正確に保つことが可能となる。
【００６０】
両面テープ貼着用治具１０によれば、両面テープ４を貼る方向（作業進行方向）において、離形紙回収部３０が保持部２０よりも後方に設けられているため、離形紙回収部３０に離形紙４ｂが回収された場合であっても、作業者が作業の進行方向を視認し易くなり好適である。
【００６１】
両面テープ貼着用治具１０によれば、保持部２０は、第１巻回両面テープを回転自在に保持する第１保持部２２と、第１巻回両面テープとは別の第２巻回両面テープを回転自在に保持する第２保持部２４と、を備えるため、所定の間隔で被貼着面に複数列の両面テープを貼り付ける作業を行う場合であっても、両面テープを２列同時に貼り付けることができるため、作業時間を短縮できると共に、作業者の負担を軽減することが可能となる。
【００６２】
両面テープ貼着用治具１０によれば、離形紙回収部３０は、第１巻回両面テープから引き出された両面テープの離形紙を巻きつけて回収する第１ローラー部材３２と、第２巻回両面テープから引き出された両面テープの離形紙を巻きつけて回収する第２ローラー部材３４を備えるため、２つの巻回両面テープを用いて両面テープを２列同時に貼り付けた際に、両方の巻回両面テープから離形紙をそれぞれ適切に回収することが可能となる。
【００６３】
＜変形例＞
以上までに、本発明の一実施形態に係る両面テープ貼着用治具１０の構成について説明してきたが、上記の実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００６４】
特に、両面テープ貼着用治具１０の構造、材質、形状及び寸法等については、上記の実施形態の中で説明した内容に限定されず、本発明の趣旨を逸脱しない限りにおいて任意に設計することが可能である。
【００６５】
図１に示す両面テープ貼着用治具１０では、ガイド部材５０を離形紙回収部３０の第１ローラー部材３２の基端部に取り付けた例を示したが、ガイド部材５０を取り付ける位置はこれに限定されるものではない。例えば、ガイド部材５０を離形紙回収部３０の第２ローラー部材３４の基端部に取り付けたり、接続部２６など、巻回両面テープ１の回転などに影響のない、その他の位置に取り付けたりすることも可能である。また、ガイド部材５０を交換可能にしてもよく、サイズの異なる複数のガイド部材を用意して、異なる間隔で両面テープ４を貼着する作業にも対応可能にしてもよい。また、ガイド部材５０を、両面テープ貼着用治具１０を構成するその他部材に対して、着脱可能に構成することや、長さを調整可能に構成してもよい。
【００６６】
さらに、図１に示すガイド部材５０の形状を、第１ガイド部５２の長さが所定間隔Ｐとなるように設定し、第２ガイド部が前方に向かう方向に折り曲げられたＬ字形状として、Ｌ字形状の一辺（つまり、折り曲げられた第２ガイド部の部分）を既設の粘着層４ａの端部に沿うように、持ち手部４０を操作するようにして作業を行うことも可能である。
【００６７】
両面テープ貼着用治具１０の各部位の材質は、樹脂に限定されるものではなく、回転軸となる部位には金属を用いてもよい。また、保持部２０や離形紙回収部３０を柔軟なエラストマー素材や発泡体で形成することも可能であり、巻回両面テープ１の保持、両面テープ４の床面Ｆへの押し付けが、硬質な材料を用いた場合よりも適切な力加減で行われるため好適である。なお、保持部２０の第１軸部材２２ａや第２軸部材２４ａ、離形紙回収部３０の第１ローラー部材３２や第２ローラー部材３４に柔軟性のある発泡樹脂、エラストマー素材、起毛素材などを巻きつけてもよい。
【００６８】
図１に示す巻回両面テープ１では、第１保持部２２と第２保持部２４の２つの保持部、第１ローラー部材３２と第２ローラー部材３４の２つの離形紙回収部を設けた例を示したが、保持部や離形紙回収部の数はこれに限定されるものではなく、保持部や離形紙回収部を１つとしたり、３つ以上設けることも可能である。
【００６９】
なお、両面テープ貼着用治具１０の用途として、両面テープ４の粘着層４ａを床面Ｆに貼着するために用いられる例を示したが、当該用途以外にも用いることが可能である。具体的には、巻回両面テープ１の代わりに、通常の巻回テープ（片面のみが粘着するテープが巻芯に巻回された巻回テープ、例えば、巻回養生テープ）を用いて、被貼着面に養生テープなどの通常のテープを貼着する作業に用いることも可能である。このとき、巻回テープから引き出されたテープを被貼着面に押し付けるために離形紙回収部３０を用いることが可能である。
【符号の説明】
【００７０】
１０  両面テープ貼着用治具
２０  保持部
２２  第１保持部
２２ａ  第１軸部材
２２ｂ  第１キャップ部材
２４  第２保持部
２４ａ  第２軸部材
２４ｂ  第２キャップ部材
２６  接続部
２８  中央部
２８ａ  第１端部
２８ｂ  第２端部
３０  離形紙回収部（押圧部）
３２  第１ローラー部材
３２ａ  第１回転軸
３４  第２ローラー部材
３４ａ  第２回転軸
４０  持ち手部
５０  ガイド部材
５２  第１ガイド部
５４  第２ガイド部
１  巻回両面テープ
２  巻芯
４  両面テープ
４ａ  粘着層
４ｂ  離形紙
Ｆ  床面（被貼着面）
【図１】
2019177996.tif 000003
【図２】
2019177996.tif 000004
【図３Ａ】
2019177996.tif 000005
【図３Ｂ】
2019177996.tif 000006
【図４】
2019177996.tif 000007
【図５】
2019177996.tif 000008